(57)【要約】【課題】物品の収納作業や物品の取出作業を容易に行うことができる収納装置を提供すること。【解決手段】収納装置１は、正面側にミラー３が、背面側に棚４ａ，４ｂが設けられ、棚４ａ，４ｂは、ミラー３の背面側と、ミラー３の外側方と、の間でスライド可能であり、棚４ａ，４ｂがミラー３の外側方にスライドするため、姿勢を変えることなくミラー３を使用しながら棚４ａ，４ｂにアプローチすることができ、物品の収納作業や取出作業を容易に行うことができる。【選択図】図４
2010269090.tif 000002
【特許請求の範囲】
【請求項１】
正面側にミラーが、背面側に棚が設けられ、該棚は、該ミラーの背面側と、前記ミラーの外側方と、の間でスライド可能であることを特徴とする収納装置。
【請求項２】
前記ミラーの背面側に位置している棚のスライド移動の規制と、該規制の解除と、を行うスライド規制解除手段が設けられていることを特徴とする請求項１に記載の収納装置。
【請求項３】
前記棚は、前記ミラーの両外側方にスライド可能に夫々設けられており、両方の前記棚には、一方の前記棚と他方の前記棚とを同期してスライドさせるリンク機構が架設されていることを特徴とする請求項１または２に記載の収納装置。
【請求項４】
前記棚のスライド速度を低速に維持するダンパが設けられていることを特徴とする請求項１ないし３のいずれかに記載の収納装置。
【発明の詳細な説明】
【技術分野】
【０００１】
本発明は、収納装置に関する。
【背景技術】
【０００２】
従来の収納装置は、洗面台の上方位置に配置されており、この収納装置は、正面側に配置されたミラーと、ミラーの背面側に設けられた上下動可能な棚と、を備え、棚の上下移動により、物品の収納と物品の取り出しとが自在となっている（例えば、特許文献１参照）。
【先行技術文献】
【特許文献】
【０００３】
【特許文献１】特開２００７−２２２４０８号公報（第５頁、第１図）
【発明の概要】
【発明が解決しようとする課題】
【０００４】
特許文献１に記載の収納装置にあっては、棚を上下移動することで、物品の収納と物品の取り出しを行うため、物品を収納するとき、または物品を取り出すときに、姿勢を変えて棚にアプローチしなければならなく、物品の収納作業及び物品の取出作業が煩わしい虞がある。
【０００５】
本発明は、このような問題点に着目してなされたもので、物品の収納作業や物品の取出作業を容易に行うことができる収納装置を提供することを目的とする。
【課題を解決するための手段】
【０００６】
前記課題を解決するために、本発明の収納装置は、
正面側にミラーが、背面側に棚が設けられ、該棚は、該ミラーの背面側と、前記ミラーの外側方と、の間でスライド可能であることを特徴としている。
この特徴によれば、棚がミラーの外側方にスライドするため、姿勢を変えることなくミラーを使用しながら棚にアプローチすることができ、物品の収納作業や物品の取出作業を容易に行うことができる。
【０００７】
本発明の収納装置は、
前記ミラーの背面側に位置している棚のスライド移動の規制と、該規制の解除と、を行うスライド規制解除手段が設けられていることを特徴としている。
この特徴によれば、スライド規制解除手段により、ミラーの背面側に位置している棚のスライド移動が規制されていて、物品の収納作業や物品の取出作業を行わないときに、棚がミラーの外側方にスライドすることを防止することができる。
【０００８】
本発明の収納装置は、
前記棚は、前記ミラーの両外側方にスライド可能に夫々設けられており、両方の前記棚には、一方の前記棚と他方の前記棚とを同期してスライドさせるリンク機構が架設されていることを特徴としている。
この特徴によれば、リンク機構により、一方の棚をスライドさせるだけで、一方の棚と他方の棚とが同期してスライドするため、両方の棚のスライド作業を容易にすることができる。
【０００９】
本発明の収納装置は、
前記棚のスライド速度を低速に維持するダンパが設けられていることを特徴としている。
この特徴によれば、ダンパにより棚のスライド速度を低速に維持するため、棚がミラーの外側方にスライドする際や棚を背面側に戻す際に、棚に収容された物品等が乱雑になることを防止することができる。
【図面の簡単な説明】
【００１０】
【図１】実施例における収納装置の斜視図である。
【図２】ミラーの背面側に位置している棚を正面視した説明図である。
【図３】収納装置の一部側断面図である。
【図４】棚がスライド移動した状態の収納装置の斜視図である。
【発明を実施するための形態】
【００１１】
本発明に係る収納装置を実施するための形態を実施例に基づいて以下に説明する。
【実施例】
【００１２】
実施例に係る収納装置につき、図１から図４を参照して説明する。以下、図２の紙面手前側を収納装置の正面側（前方側）とし、図３の紙面左側を収納装置の正面側（前方側）として説明する。
【００１３】
先ず図１の符号１は、洗面所等に設けられた洗面台２の上方位置に設置される収納装置である。この収納装置１は、その正面側に設けられたミラー３と、ミラー３の背面側に設けられ、洗面用具等の物品を収容する棚４ａ，４ｂと、棚４ａ，４ｂの上方に設けられる照明装置５と、を備えている。
【００１４】
図１及び図４に示されるように、棚４ａ，４ｂは、ミラー３の両側方側に夫々設けられており、夫々の棚４ａ，４ｂは、ミラー３の背面側にあってミラー３の正面から見えない位置と、ミラー３の外側から突出した外側方位置と、の間でスライド可能になっている。尚、棚４ａ，４ｂは、略同構造であるが、実施例の説明の便宜上、異なる符号を付している。
【００１５】
具体的に棚４ａ，４ｂのスライド機構について説明すると、図２及び図３に示されるように、収納装置１は、ミラー３を支持する支持部６を備えており、この支持部６の背面板６ａが、洗面所の壁１１に固定に取り付けられている。
【００１６】
また、ミラー３は、支持部６の前面板６ｂに取り付けられた上下の支持片６ｃ，６ｃにより支持されており、この前面板６ｂは、透光性を有する材質で形成されている。この前面板６ｂの上端部には、前後方向に傾斜する傾斜端面６ｄを有している。よって、照明装置５の光源であるＬＥＤ５ａ，５ａを点灯することで、ＬＥＤ５ａ，５ａからの光が透光性の傾斜端面６ｄを通過するため、傾斜端面６ｄの光演出を行うことができ、かつ前面板６ｂ全体の光演出を行うこともできる。
【００１７】
また、支持部６の内部には、主に、棚４ａ，４ｂを水平方向に滑らかに移動させるレール７ａ，７ｂと、棚４ａと棚４ｂを同期してスライドさせるためのリンク機構としてのパンタグラフ８と、棚４ａ，４ｂのスライド速度を低速に維持するダンパ９と、ミラー３の背面側に位置している棚４ａ，４ｂ（図２実線の棚４ａ，４ｂ参照）のスライド移動の規制及びその規制の解除を行う係合部１０と、が設けられている。
【００１８】
レール７ａ，７ｂは、背面板６ａの上部及び下部に夫々取り付けられており、レール７ａ，７ｂは、棚４ａ，４ｂの背面の上部及び下部に取り付けられた摺動部４ｃ，４ｄを夫々摺動可能に嵌合している。
【００１９】
パンタグラフ８は、４本のアーム２１〜２４から構成されている。第１アーム２１の一端部及び第２アーム２２の一端部を枢着具２５により相対回動自在に枢支されているとともに、第３アーム２３の一端部及び第４アーム２４の一端部は、背面板６ａに固定した枢着具１９により、相対回動自在に枢支されている。
【００２０】
更に、第１アーム２１の他端部と、棚４ａの下部に取り付けられた枢着片４ｅと、は枢着具２６により枢支されているとともに、第１アーム２１と第３アーム２３とが交差して、これら第１アーム２１及び第３アーム２３が相対回動可能になるように、第１アーム２１の中間部と第３アーム２３の中間部とが枢着具２７により枢支されている。
【００２１】
また、第２アーム２２の他端部と、棚４ｂの下部に取り付けられた枢着片４ｆと、は枢着具２８により枢支されているとともに、第２アーム２２と第４アーム２４とが交差して、これら第２アーム２２と第４アーム２４が相対回動可能になるように、第２アーム２２の中間部と第４アーム２４の中間部とが枢着具２９により枢支されている。
【００２２】
この構成により、棚４ａ，４ｂが夫々ミラー３の外側方へ移動すると、第１アーム２１の他端部及び第２アーム２２の他端部が離間し、枢着具２５が下方に移動するとともに、第３アーム２３及び第４アーム２４が、それらの他端部が離間するように、枢着具１９を中心に相対回動する。
【００２３】
そして、棚４ａ，４ｂの一方だけをミラー３の外側方へ移動させても、枢着具２５が下方に移動するので、棚４ａ，４ｂの他方もミラー３の外側方に移動でき、棚４ａ，４ｂが同期してスライド可能になっている（図２一点鎖線のパンタグラフ８及び棚４ａ，４ｂ参照）。
【００２４】
一方、棚４ａを図２左方に押圧することで、第１アーム２１及び第２アーム２２が、それらの他端部が近接するように、枢着具２５を中心に相対回動するとともに、第３アーム２３及び第４アーム２４が、それらの他端部が近接するように、枢着具１９を中心に相対回動する。これら相対回動により、枢着具２５が上方に移動し、棚４ａ，４ｂがミラー３の背面側に位置する。
【００２５】
次に、本発明のスライド規制解除手段について説明する。係合部１０は、棚４ａの図２左方の側面に取り付けられた被係合部２０と係合可能になっており、係合部１０と被係合部２０とは、公知のプッシュラッチを構成している。すなわち、係合部１０と被係合部２０との係合により、棚４ａ，４ｂの位置が、ミラー３の背面側で保持され、棚４ａ，４ｂのスライド移動の規制がなされる。
【００２６】
一方、係合部１０と被係合部２０との係合状態において、棚４ａを図２左方に押圧することで、係合部１０と被係合部２０との係合が解除されるようになっており、これら係合部１０及び被係合部２０が、本発明のスライド規制解除手段を構成している。
【００２７】
次に、本発明のダンパについて説明する。ダンパ９は、背面板６ａに取り付けられたレール１２と、レール１２に摺動可能に嵌合された嵌合片１３と、嵌合片１３の下部に取り付けられたピストン１４と、ピストン１４を移動可能に支持し、内部に作動油が充填されたシリンダ１５と、シリンダ１５の下方位置における背面板６ａに取り付けられた取付片１６と、取付片１６と嵌合片１３とに架設される伸縮可能なバネ１７，１７と、から構成されている。
【００２８】
嵌合片１３は、枢着具２５に取り付けられ、嵌合片１３がレール１２を下方に向かって摺動することにより、パンタグラフ８は水平方向に伸長するとともに、嵌合片１３がレール１２を上方に向かって摺動することにより、パンタグラフ８は水平方向に収縮するようになっている。また、係合部１０と被係合部２０とが係合した状態では、嵌合片１３は、上方に位置ずる。
【００２９】
バネ１７，１７は、係合部１０と被係合部２０との係合状態において、自然長よりも伸長された伸長状態になっており、係合部１０と被係合部２０との係合状態が解除されることで、伸長状態のバネ１７，１７の付勢力により、嵌合片１３が下方に移動し、棚４ａ，４ｂがパンタグラフ８を伸長してミラー３の外側方側に移動する。
【００３０】
次に棚４ａ，４ｂの使用方法について説明する。先ず、図２に示されるように、棚４ａ，４ｂがミラー３の背面側に位置している状態において（図２実線の棚４ａ，４ｂ参照）、棚４ａを図示左方に押圧することで、係合部１０と被係合部２０との係合状態が解除される。
【００３１】
この係合部１０と被係合部２０との係合状態の解除により、バネ１７，１７が下方向に縮小し、嵌合片１３が下方に向かって移動し、パンタグラフ８が水平方向に伸長する。このパンタグラフ８の水平方向の伸長により、棚４ａ，４ｂが同期してミラー３の外側方側に夫々スライドする。
【００３２】
また、嵌合片１３の下方に向かって移動する際に、ピストン１４も作動油が充填されたシリンダ１５内を下方に向かって移動するため、棚４ａ，４ｂが、そのスライド速度が低速に維持された状態でミラー３の外側方側に夫々スライドする。
【００３３】
そして、バネ１７，１７の自然長の状態になったとき、嵌合片１３の移動動作が停止し、棚４ａ，４ｂのスライド移動も停止する。この状態において、図４に示されるように、棚４ａ，４ｂが、ミラー３の外側方に夫々位置し（図２一点鎖線の棚４ａ、４ｂ参照）、物品の収納作業及び物品の取出作業が可能となる。
【００３４】
一方、物品の収納作業及び物品の取出作業が終了すれば、棚４ａを図２左方に押圧して、棚４ａ，４ｂをミラー３の背面側に向かってスライドさせる。そして、係合部１０を被係合部２０に係合させて、棚４ａ，４ｂをミラー３の背面側に位置させる。
【００３５】
以上に説明したように、本実施例の収納装置１では、正面側にミラー３が、背面側に棚４ａ，４ｂが設けられ、棚４ａ，４ｂは、ミラー３の背面側と、ミラー３の外側方と、の間でスライド可能であることで、棚４ａ，４ｂがミラー３の外側方にスライドするため、姿勢を変えることなくミラー３を使用しながら棚４ａ，４ｂにアプローチすることができ、物品の収納作業や取出作業を容易に行うことができる。
【００３６】
また、ミラー３の背面側に位置している棚４ａ，４ｂのスライド移動の規制と、規制の解除と、を行う係合部１０及び被係合部２０が設けられていることで、ミラー３の背面側に位置している棚４ａ，４ｂのスライド移動が規制されていて、物品の収納作業や物品の取出作業を行わないときに、棚４ａ，４ｂがミラー３の外側方にスライドすることを防止することができる。
【００３７】
また、棚４ａ，４ｂは、ミラー３の両外側方にスライド可能に夫々設けられており、両方の棚４ａ，４ｂには、棚４ａと棚４ｂとを同期してスライドさせるパンタグラフ８が架設されていることで、棚４ａをスライドさせるだけで、棚４ａと棚４ｂとが同期してスライドするため、両方の棚４ａ，４ｂのスライド作業を容易にすることができる。
【００３８】
また、棚４ａ，４ｂのスライド速度を低速に維持するダンパ９が設けられていることで、棚４ａ，４ｂのスライド速度を低速に維持するため、棚４ａ，４ｂがミラー３の外側方にスライドする際や棚４ａ，４ｂをミラー３の背面側に戻す際に、棚４ａ，４ｂに収容された物品等が乱雑になることを防止することができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、収納装置１は、洗面所に設置されているが、収納装置１の設置場所はこれに限らず、例えば、収納装置は、浴槽室に設置されてもよい。
【００４１】
また、前記実施例では、棚４ａ，４ｂは、ミラー３の両外側方にスライド可能に夫々設けられているが、これに限らず、例えば、ミラーの背面側に棚が１つのみ設けられ、この棚がミラーの背面側と、ミラーの外側方と、の間でスライド可能であってもよい。
【００４２】
また、前記実施例では、スライド規制解除手段は、プッシュラッチで構成されているが、これに限らず、例えば、係合部と被係合部との摩擦力に打勝つ外力で規制を解除するようにしてもよい。
【符号の説明】
【００４３】
１                収納装置
３                ミラー
４ａ，４ｂ        棚
８                パンタグラフ（リンク機構）
９                ダンパ
１０              係合部（スライド規制解除手段）
２０              被係合部（スライド規制解除手段）
【図１】
2010269090.tif 000003
【図２】
2010269090.tif 000004
【図３】
2010269090.tif 000005
【図４】
2010269090.tif 000006